(57)【要約】パイロット付加のための方法及び装置が提供される。方法は送信器において使用され、送信器は、旧システムのユーザと、旧システムの更新されたシステムである新システムのユーザとへデータを伝送するために使用される。方法は、新システムのユーザによって必要とされるパイロットが現在のリソースブロックに挿入される必要があるかどうかを判断するパイロット付加判断ステップと、旧システムのユーザへチャネル推定を進める統計性能に有意に影響を及ぼす１以上のサブキャリアシンボルブロックから、新システムのユーザによって必要とされるパイロットのための挿入位置としてのサブキャリアシンボルブロックを確認する挿入位置確認ステップと、新システムのユーザによって必要とされるパイロットを、挿入位置確認ステップで確認されたサブキャリアシンボルブロックに挿入する挿入ステップとを有する。
2013506322.tif 000002
【特許請求の範囲】
【請求項１】
旧システムのサブスクライバと、前記旧システムの更新されたシステムである新システムのサブスクライバとへデータを伝送するために送信器において使用されるパイロット付加方法であって、
前記新システムのサブスクライバによって要求されるパイロットを現在のリソースブロックに挿入すべきかどうかを判断し、
前記旧システムのサブスクライバについてチャネル推定の統計性能に対して大きな影響を有する１又はそれ以上のサブキャリアシンボルブロックから、前記新システムのサブスクライバによって要求される前記パイロットの挿入位置であるサブキャリアシンボルブロックを決定し、
前記新システムのサブスクライバによって要求される前記パイロットを、前記決定によって決定された前記新システムのサブスクライバによって要求される前記パイロットの挿入位置であるサブキャリアシンボルブロックに挿入する
パイロット付加方法。
【請求項２】
前記決定は、セクタに従って、前記新システムのサブスクライバによって要求される前記パイロットの挿入位置を決定する、
請求項１に記載のパイロット付加方法。
【請求項３】
前記新システムのアンテナのパイロットが、第１のセクタにおける特定のソースブロックにおいてシリアル番号ｋを有するサブキャリアに位置する場合に、第２のセクタにおける対応するソースブロックにおける前記アンテナのパイロットのためのサブキャリアは、ｋを法とするｋ＋１のシリアル番号を有し、第３のセクタにおける対応するソースブロックにおける前記アンテナのパイロットのためのサブキャリアは、ｋを法とするｋ＋２のシリアル番号を有し、ｋは負でない整数である、
請求項２に記載のパイロット付加方法。
【請求項４】
前記旧システムはＬＴＥシステムであり、前記新システムはＬＴＥ−Ａシステムである、
請求項１に記載のパイロット付加方法。
【請求項５】
前記判断は、前記新システムのサブスクライバによって要求される前記パイロットを、フレーム０番目から３番目のサブフレーム及び６番目から９番目のサブフレーム、又は２番目から９番目のサブフレーム、又は１番目から４番目のサブフレーム及び６番目から９番目のサブフレームにおけるリソースブロックの夫々又は幾つかに挿入することを決定する、
請求項４に記載のパイロット付加方法。
【請求項６】
前記判断は、前記新システムのサブスクライバによって要求される前記パイロットを、フレームの２番目のサブフレーム、３番目のサブフレーム、７番目のサブフレーム及び８番目のサブフレームにおけるリソースブロックの夫々に挿入することを決定する、
請求項４に記載のパイロット付加方法。
【請求項７】
前記判断は、前記新システムのサブスクライバによって要求される前記パイロットを、フレームの２番目のサブフレーム、３番目のサブフレーム、７番目のサブフレーム及び８番目のサブフレームのいずれか１つ又は２つにおけるリソースブロックの夫々に挿入することを決定する、
請求項４に記載のパイロット付加方法。
【請求項８】
前記サブキャリアシンボルブロックの決定は、隣接するサブフレームにおいて同じシリアル番号を有するリソースブロックに加えられるパイロットが異なるアンテナのためであるように、リソースブロックの夫々における４つのアンテナのパイロットの挿入位置を決定する、
請求項５乃至７のうちいずれか一項に記載のパイロット付加方法。
【請求項９】
前記サブキャリアシンボルブロックの決定は、同じサブフレームにおいて隣接するシリアル番号を有するリソースブロックに加えられるパイロットが異なるアンテナのためであるように、リソースブロックの夫々における４つのアンテナのパイロットの挿入位置を決定する、
請求項５乃至７のうちいずれか一項に記載のパイロット付加方法。
【請求項１０】
旧システムのサブスクライバと、前記旧システムの更新されたシステムである新システムのサブスクライバとへデータを伝送するために送信器において使用されるパイロット付加装置であって、
前記新システムのサブスクライバによって要求されるパイロットを現在のリソースブロックに挿入すべきかどうかを判断するよう構成される新システムパイロット付加判断部と、
前記旧システムのサブスクライバについてチャネル推定の統計性能に対して大きな影響を有する１又はそれ以上のサブキャリアシンボルブロックから、前記新システムのサブスクライバによって要求される前記パイロットの挿入位置であるサブキャリアシンボルブロックを決定するよう構成される挿入位置決定部と、
前記新システムのサブスクライバによって要求される前記パイロットを、前記挿入位置決定部によって決定された前記新システムのサブスクライバによって要求される前記パイロットの挿入位置であるサブキャリアシンボルブロックに挿入するよう構成される挿入部と
を有するパイロット付加装置。
【発明の詳細な説明】
【技術分野】
【０００１】
本発明は、通信システムに関し、特に、ＭＩＭＯ（Multiple  Input  Multiple  Output）アンテナ技術を用いるシステムの送信アンテナの数が増やされる場合のパイロット送信方法及び装置に関する。
【背景技術】
【０００２】
直交周波数分割多重化（ＯＦＤＭ（Orthogonal  Frequency  Division  Multiplexing））技術に基づくマルチキャリア無線通信において、選択的にフェーディングする周波数を有するブロードバンドチャネルは、フラットフェーディング周波数を有する多数のチャネルに一様に分割され、単一タップ周波数イコライザのみが受信端で必要とされる。これは、システムの受信器等化アルゴリズムを大いに簡単化する。
【０００３】
他方で、無線システムの伝送効率を改善するために、ＭＩＭＯアンテナ技術は、現在及び将来の無線通信のための必然的な選択になっている。ＭＩＭＯ−ＯＦＤＭシステムにおいて、複数の送受信アンテナの使用は、システムの未知のパラメータの数を大いに増やし、それらの未知のパラメータは、既知のパイロット又はトレーニング信号により推定されるべきである。ＬＴＥ（ＬＴＥリリース８）標準において、送受信アンテナのサポート可能な最高の構成は４×４である。貴重なスペクトルリソースが、より高いデータ伝送レートの下では、より有効に利用され得る。
【０００４】
ＬＴＥ−Ａ（ＬＴＥリリース１０）標準は、最大で８×８の送受信アンテナの構成を必要とする。ＬＴＥ−Ａサブスクライバが８個の送信アンテナからの物理チャネルを正確に推定することができるために、余分のパイロットが必要とされる。これは、基準信号の効率的且つ理に適った設計に対する厳しい課題である。
【０００５】
ＬＴＥ−Ａシステムの８個の送信アンテナのパイロットの設計は、一般的に、上位互換性を必要とする。よって、連続する１乃至４個のアンテナのＲＳ設計は、ＬＴＥ標準を満足すべきである。ＬＴＥサブスクライバが、ＬＴＥシステムのダウンリンクデータ伝送と同時に、８個の送信アンテナの物理チャネルを推定するために、送信端にある基地局は、ＬＴＥ−Ａサブスクライバの一部のデータサブキャリアを引き出し、それらのデータサブキャリアに対する特定のＬＴＥ−Ａアンテナパイロット信号を送信すべきである。
【０００６】
本発明の検討中に、発明者は、ＬＴＥ−Ａのための現在のパイロット伝送方法は依然としてＬＴＥシステムに大きな影響を有し、これは少なくともパイロット位置が適切に選択されないためであると気付いた。
【０００７】
本発明のための引用文献が以下に列挙される。これらの文献は、あたかもそれらが本明細書において詳細に記載されているかのように、参照により本願に援用される。
【先行技術文献】
【特許文献】
【０００８】
【特許文献１】中国特許第１０１１６６０５３号明細書：Pilot  Signal  Transmission  Method  of  Multi-Transmitting  Antenna  System
【特許文献２】国際公開第２００８／０４５８０３（Ａ）号パンフレット：Method  and  Apparatus  for  Detection  a  Presence  of  a  Signal  in  Communication  Channel
【特許文献３】国際公開第２００８／１５０７７２（Ａ１）パンフレット：Methods  and  Apparatus  for  Improved  Utilization  of  Air  Link  Resource  in  A  Wireless  Communications  System
【非特許文献】
【０００９】
【非特許文献１】R1-090190，“RS  design  for  DL  higher  order  MIMO  in  LTE-A”，CATT，3GPP  RAN1  #55bis  Meeting，リュブリャナ，スロベニア，２００９年１月
【非特許文献２】R1-090619，“DL  RS  Designs  for  Higher  Order  MIMO”，サムソン，3GPP  TSGRAN  WG1  #56，アテネ，ギリシャ、２００９年２月９〜１３日
【非特許文献３】R1-090144，“Design  aspects  of  high-order  MIMO  for  LTE”，ノーテル，3GPP  RAN1  #55bis  Meeting，リュブリャナ，スロベニア，２００９年１月
【非特許文献４】R1-093196，“DL  Reference  Signal  Design  for  CSI  generation  in  LTE-Advanced”，ZTE.  3GPP  RAN1  #58  Meeting，深川，中国，２００９年８月
【発明の概要】
【発明が解決しようとする課題】
【００１０】
本発明は、ＬＴＥサブスクライバにおいて、ＬＴＥ−Ａに挿入されるパイロットの影響を低減するために、先行技術の上記の条件に関連して提案されて、少なくとも、有益な選択を提供する。
【課題を解決するための手段】
【００１１】
上記の目的を達成するよう、以下の態様が、本発明の実施形態に従って提案される：
態様１：旧システムのサブスクライバと、前記旧システムの更新されたシステムである新システムのサブスクライバとへデータを伝送するために送信器において使用されるパイロット付加方法であって、
前記新システムのサブスクライバによって要求されるパイロットを現在のリソースブロックに挿入すべきかどうかを判断し、
前記旧システムのサブスクライバについてチャネル推定の統計性能に対して大きな影響を有する１又はそれ以上のサブキャリアシンボルブロックから、前記新システムのサブスクライバによって要求される前記パイロットの挿入位置であるサブキャリアシンボルブロックを決定し、
前記新システムのサブスクライバによって要求される前記パイロットを、前記決定によって決定された前記新システムのサブスクライバによって要求される前記パイロットの挿入位置であるサブキャリアシンボルブロックに挿入する
パイロット付加方法。
【００１２】
態様２：前記決定は、セクタに従って、前記新システムのサブスクライバによって要求される前記パイロットの挿入位置を決定する、
態様１に記載のパイロット付加方法。
【００１３】
態様３：前記新システムのアンテナのパイロットが、第１のセクタにおける特定のソースブロックにおいてシリアル番号ｋを有するサブキャリアに位置する場合に、第２のセクタにおける対応するソースブロックにおける前記アンテナのパイロットのためのサブキャリアは、ｋを法とするｋ＋１のシリアル番号を有し、第３のセクタにおける対応するソースブロックにおける前記アンテナのパイロットのためのサブキャリアは、ｋを法とするｋ＋２のシリアル番号を有し、ｋは負でない整数である、
態様２に記載のパイロット付加方法。
【００１４】
態様４：前記旧システムはＬＴＥシステムであり、前記新システムはＬＴＥ−Ａシステムである、
態様１に記載のパイロット付加方法。
【００１５】
態様５：前記判断は、前記新システムのサブスクライバによって要求される前記パイロットを、フレーム０番目から３番目のサブフレーム及び６番目から９番目のサブフレーム、又は２番目から９番目のサブフレーム、又は１番目から４番目のサブフレーム及び６番目から９番目のサブフレームにおけるリソースブロックの夫々又は幾つかに挿入することを決定する、
態様４に記載のパイロット付加方法。
【００１６】
態様６：前記サブキャリアシンボルブロックの決定は、リソースブロックの夫々における２つの異なるアンテナのパイロットの挿入位置を決定する、
態様５に記載のパイロット付加方法。
【００１７】
態様７：前記サブキャリアシンボルブロックの決定は、隣接するサブフレームにおいて同じシリアル番号を有するリソースブロックに加えられるパイロットが異なるアンテナのためであるように、リソースブロックの夫々における前記２つのアンテナのパイロットの挿入位置を決定する、
態様６に記載のパイロット付加方法。
【００１８】
態様８：前記サブキャリアシンボルブロックの決定は、同じサブフレームにおいて隣接するシリアル番号を有するリソースブロックに加えられるパイロットが異なるアンテナのためであるように、リソースブロックの夫々における前記２つのアンテナのパイロットの挿入位置を決定する、
態様６に記載のパイロット付加方法。
【００１９】
態様９：前記判断は、前記新システムのサブスクライバによって要求される前記パイロットを、フレームの２番目のサブフレーム、３番目のサブフレーム、７番目のサブフレーム及び８番目のサブフレームにおけるリソースブロックの夫々に挿入することを決定する、
態様４に記載のパイロット付加方法。
【００２０】
態様１０：前記サブキャリアシンボルブロックの決定は、リソースブロックの夫々における４つの異なるアンテナのパイロットの挿入位置を決定する、
態様９に記載のパイロット付加方法。
【００２１】
態様１１：前記サブキャリアシンボルブロックの決定は、隣接するサブフレームにおいて同じシリアル番号を有するリソースブロックに加えられるパイロットが異なるアンテナのためであるように、リソースブロックの夫々における前記４つのアンテナのパイロットの挿入位置を決定する、
態様１０に記載のパイロット付加方法。
【００２２】
態様１２：前記サブキャリアシンボルブロックの決定は、同じサブフレームにおいて隣接するシリアル番号を有するリソースブロックに加えられるパイロットが異なるアンテナのためであるように、リソースブロックの夫々における前記４つのアンテナのパイロットの挿入位置を決定する、
態様１０に記載のパイロット付加方法。
【００２３】
態様１３：前記判断は、前記新システムのサブスクライバによって要求される前記パイロットを、フレームの２番目のサブフレーム、３番目のサブフレーム、７番目のサブフレーム及び８番目のサブフレームのいずれか１つ又は２つにおけるリソースブロックの夫々に挿入することを決定する、
態様４に記載のパイロット付加方法。
【００２４】
態様１４：前記サブキャリアシンボルブロックの決定は、リソースブロックの夫々における８つの異なるアンテナのパイロットの挿入位置を決定する、
態様１３に記載のパイロット付加方法。
【００２５】
態様１５：前記判断は、前記新システムのサブスクライバによって要求されるパイロットを、フレームの２番目、３番目、７番目及び８番目のサブフレームのいずれか２つのリソースブロックの夫々に挿入することを決定し、
前記パイロットは、リソースブロックにおけるシリアル番号１、４、７及び１０を有するサブキャリアにおけるシリアル番号９及び１０を有するシンボルによって決定されるサブキャリアシンボルブロックの位置に挿入される、
態様１４に記載のパイロット付加方法。
【００２６】
態様１６：旧システムのサブスクライバと、前記旧システムの更新されたシステムである新システムのサブスクライバとへデータを伝送するために送信器において使用されるパイロット付加装置であって、
前記新システムのサブスクライバによって要求されるパイロットを現在のリソースブロックに挿入すべきかどうかを判断するよう構成される新システムパイロット付加判断部と、
前記旧システムのサブスクライバについてチャネル推定の統計性能に対して大きな影響を有する１又はそれ以上のサブキャリアシンボルブロックから、前記新システムのサブスクライバによって要求される前記パイロットの挿入位置であるサブキャリアシンボルブロックを決定するよう構成される挿入位置決定部と、
前記新システムのサブスクライバによって要求される前記パイロットを、前記挿入位置決定部によって決定された前記新システムのサブスクライバによって要求される前記パイロットの挿入位置であるサブキャリアシンボルブロックに挿入するよう構成される挿入部と
を有するパイロット付加装置。
【００２７】
態様１７：前記挿入位置決定部は、セクタに従って、前記新システムのサブスクライバによって要求される前記パイロットの挿入位置を決定する、
態様１６に記載のパイロット付加装置。
【００２８】
態様１８：前記新システムのアンテナのパイロットが、第１のセクタにおける特定のソースブロックにおいてシリアル番号ｋを有するサブキャリアに位置する場合に、第２のセクタにおける対応するソースブロックにおける前記アンテナのパイロットのためのサブキャリアは、ｋを法とするｋ＋１のシリアル番号を有し、第３のセクタにおける対応するソースブロックにおける前記アンテナのパイロットのためのサブキャリアは、ｋを法とするｋ＋２のシリアル番号を有し、ｋは負でない整数である、
態様１７に記載のパイロット付加装置。
【００２９】
態様１９：前記旧システムはＬＴＥシステムであり、前記新システムはＬＴＥ−Ａシステムである、
態様１６に記載のパイロット付加装置。
【００３０】
態様２０：前記新システムパイロット付加判断部は、前記新システムのサブスクライバによって要求される前記パイロットを、フレーム０番目から３番目のサブフレーム及び６番目から９番目のサブフレーム、又は２番目から９番目のサブフレーム、又は１番目から４番目のサブフレーム及び６番目から９番目のサブフレームにおけるリソースブロックの夫々又は幾つかに挿入することを決定する、
態様１９に記載のパイロット付加装置。
【００３１】
態様２１：前記新システムパイロット付加判断部は、前記新システムのサブスクライバによって要求される前記パイロットを、フレームの２番目のサブフレーム、３番目のサブフレーム、７番目のサブフレーム及び８番目のサブフレームにおけるリソースブロックの夫々に挿入することを決定する、
態様１９に記載のパイロット付加装置。
【００３２】
態様２２：前記新システムパイロット付加判断部は、前記新システムのサブスクライバによって要求される前記パイロットを、フレームの２番目のサブフレーム、３番目のサブフレーム、７番目のサブフレーム及び８番目のサブフレームのいずれか１つ又は２つにおけるリソースブロックの夫々に挿入することを決定する、
態様１９に記載のパイロット付加装置。
【００３３】
態様２３：前記挿入位置決定部は、隣接するサブフレームにおいて同じシリアル番号を有するリソースブロックに加えられるパイロットが異なるアンテナのためであるように、リソースブロックの夫々における前記新システムのサブスクライバによって要求される前記パイロットの挿入位置を決定する、
態様１９に記載のパイロット付加装置。
【００３４】
態様２４：前記挿入位置決定部は、同じサブフレームにおいて隣接するシリアル番号を有するリソースブロックに加えられるパイロットが異なるアンテナのためであるように、リソースブロックの夫々における前記新システムのサブスクライバによって要求される前記パイロットの挿入位置を決定する、
態様１９に記載のパイロット付加装置。
【００３５】
態様２５：第１チャネルモデルの下で旧システムサブスクライバのチャネル推定誤差の統計的分布を決定するよう構成される第１チャネルモデル用チャネル推定誤差統計的分布部と、
第２チャネルモデルの下で旧システムサブスクライバのチャネル推定誤差の統計的分布を決定するよう構成される第２チャネルモデル用チャネル推定誤差統計的分布部と、
前記第１チャネルモデル用チャネル推定誤差統計的分布部及び前記第２チャネルモデル用チャネル推定誤差統計的分布部の決定結果に従って、サブフレーム又はＲＢにおける新システムのアンテナのパイロットの挿入位置を決定するよう構成される新システムアンテナパイロット位置決定部と
を有するパイロット挿入位置決定装置。
【００３６】
態様２６：第１チャネルモデルの下で旧システムサブスクライバのチャネル推定誤差の統計的分布を決定し、
第２チャネルモデルの下で旧システムサブスクライバのチャネル推定誤差の統計的分布を決定し、
前記第１チャネルモデルに関する決定結果及び前記第２チャネルモデルに関する決定結果に従って、サブフレーム又はＲＢにおける新システムのアンテナのパイロットの挿入位置を決定する
パイロット挿入位置決定方法。
【００３７】
本発明のこれらの及び更なる態様及び特徴は、以下の記載及び図面を参照して、より明らかであろう。明細書及び図面において、本発明の具体的な実施形態は、本発明の原理が具現され得る方法を示すよう詳細に開示される。しかし、当然に、本発明は、相応に適用範囲において制限されない。本発明は、添付の特許請求の範囲の技術的範囲内で多くの変更、変形及び均等を含む。
【００３８】
一実施形態に関して記載及び／又は図示される特徴は、１又はそれ以上の他の実施形態において同じように、他の実施形態の特徴と組み合わされる又は該特徴と置換するよう、使用されてよい。
【図面の簡単な説明】
【００３９】
【図１】本発明の実施形態に従うパイロット付加装置の略ブロック図である。
【図２】本発明の実施形態に従うパイロット付加方法の略フロー図である。
【図３】第１セクタにおけるＬＴＥのＣＲＳ分布の概略図である。
【図４】第２セクタにおけるＬＴＥのＣＲＳ分布の概略図である。
【図５】第３セクタにおけるＬＴＥのＣＲＳ分布の概略図である。
【図６】図３に表されるＣＲＳ分布に関するＩＴＵ−ＰＢ３ｋｍ／ｈチャネルモデル下のチャネル推定エラーの統計分布図である（グレイグリッドは、チャネル推定性能が悪いサブキャリアシンボルブロックを表す。）。
【図７】図３に表されるＣＲＳ分布に関するＩＴＵ−ＶＡ１２０ｋｍ／ｈチャネルモデル下のチャネル推定エラーの統計分布図である（グレイグリッドは、チャネル推定性能が悪いサブキャリアシンボルブロックを表す。）。
【図８】図６及び図７に基づき得られるＬＴＥ−ＡのＣＳＩ−ＲＳパターンの例の概略図である。
【図９】図４に表されるＣＲＳ分布に関するＩＴＵ−ＰＢ３ｋｍ／ｈチャネルモデル下のチャネル推定エラーの統計分布図である（グレイグリッドは、チャネル推定性能が悪いサブキャリアシンボルブロックを表す。）。
【図１０】図４に表されるＣＲＳ分布に関するＩＴＵ−ＶＡ１２０ｋｍ／ｈチャネルモデル下のチャネル推定エラーの統計分布図である（グレイグリッドは、チャネル推定性能が悪いサブキャリアシンボルブロックを表す。）。
【図１１】図９及び図１０に基づき得られるＬＴＥ−ＡのＣＳＩ−ＲＳパターンの例の概略図である。
【図１２】図５に表されるＲＳに基づくＩＴＵ−ＰＢ３ｋｍ／ｈチャネル下のチャネル推定エラーの分布図である（グレイグリッドは、チャネル推定性能が悪いサブキャリアシンボルブロックを表す。）。
【図１３】図５に表されるＲＳに基づくＩＴＵ−ＶＡ１２０ｋｍ／ｈチャネル下のチャネル推定エラーの分布図である（グレイグリッドは、チャネル推定性能が悪いサブキャリアシンボルブロックを表す。）。
【図１４】図１２及び図１３に基づき得られるＬＴＥ−ＡのＣＳＩ−ＲＳパターンの例の概略図である。
【図１５】第２セクタに基づくＬＴＥ−ＡのＣＳＩ−ＲＳパターンの他の例の概略図である。
【図１６】本発明の第１実施形態に従うＲＳ置換の例を表す。
【図１７】本発明の第２実施形態に従うＲＳ置換の例を表す。
【図１８】本発明の第３実施形態に従うＲＳ置換の例を表す。
【図１９】本発明の第４実施形態に従うＲＳ置換において、ＬＴＥ−Ａが挿入されるＲＳリソースブロックの例を表す。
【図２０】ＬＴＥと下位互換性がある本発明の実施形態に従うＬＴＥ−Ａの送信器の略構成図を表す。
【図２１】ＬＴＥと下位互換性がある本発明の実施形態に従うＬＴＥ−Ａの受信器の略構成図を表す。
【図２２】本発明の実施形態に従うパイロット挿入位置決定装置の機能ブロック図を表す。
【図２３】本発明の実施形態に従うパイロット挿入位置決定方法のフローチャートを表す。
【図２４】本発明の実施形態に従う方法及び装置を実施可能なコンピュータのブロック図を表す。
【発明を実施するための形態】
【００４０】
本発明の実施形態は、図面を参照して以下のように詳細に記載される。明瞭さ及び簡潔さのために、実施形態の特徴の全てが明細書において記載されているわけではない。しかし、当然に、それらの実施形態のいずれかを開発する過程の間に、実施形態の多くの具体的な決定が、開発者の目的を実現すべくなされるべきである。例えば、システム及びサービスに関する制約条件が満足され、それらの制約条件は実施形態によって様々でありうる。さらに、留意すべきは、開発は非常に複雑で且つ時間がかかることがあるが、本開示から恩恵を受ける当業者にとっては単なるルーチンワークである。
【００４１】
留意すべきは、不必要な詳細により本発明が不明りょうなることを回避するよう、図面は、本発明に従う解決法に密に関連する構成及び／又は処理ステップのみを表し、一方、そのように密に関連しない他の詳細を省略する。
【００４２】
本発明の実施形態を詳細に記載する前に、本発明に関連する先行技術の幾つかの概念が以下で紹介される。
【００４３】
高効率で物理リソースを割り当てるために、物理フレームは、通常、時間領域においては多くの伝送時間インターバル（ＴＴＩ（Transmitting  Time  Intervals））に分割され、周波数領域においては多くの基本割り当てユニットに分割される。例えば、最新の＋ＴＥ標準において、１個のフレームは、１４個のＯＦＤＭシンボルを夫々有する１０個のＴＴＩを含み、各ＴＴＩは、周波数領域で１２個のサブキャリアのユニットにおいてサブブロックに分割され、１２個のサブキャリア及び１４個のＯＦＤＭシンボルの時間−周波数リソースブロック（以下、リソースブロック（ＲＢ）と呼ぶ。）は、基本リソースユニットを構成する。すなわち、１個のＴＴＩは、周波数領域において連続する多数（例えば、５０個）のＲＢを含む。本発明の実施形態において、ＴＴＩはサブフレームとも呼ばれる。さらに、１個のフレームにおける１０個のサブフレームは０番から９番のサブフレームとして番号を付けられ、１個のサブフレームにおける１４個のシンボルは０番から１３番のシンボルとして番号を付けられ、１個のＲＢにおける１２個のサブキャリアは０番から１１番のサブキャリアとして番号を付けられる。
【００４４】
さらに、マルチ出力アンテナシステムのための基準信号設計スキームは、主として直交基準信号（ＲＳ（Reference  Signal））設計基準に基づく。すなわち、夫々の送信アンテナのＲＳによって占有されるリソース要素は互いに直交して、受信端での相互干渉を回避する。本発明の実施形態は、直交ＲＳ設計基準が採用される条件下でも記載される。しかし、本発明の実施形態は、そのような条件に制限されず、他の設計基準も使用されてよい。
【００４５】
時間−周波数２Ｄ物理リソースにおいて、ＬＴＥのコモン基準信号（ＣＳＲ（Common  Reference  Signal））及びデータ並びにＬＴＥ−ＡのＣＲＳはいずれも存在し、ＬＴＥ−ＡのＣＲＳはＬＴＥのＣＲＳとは重複することができず、パンチング（punching）によりＬＴＥのデータサブキャリアにのみ置かれ得る。
【００４６】
本発明の発明者は、ＬＴＥ−Ａシステムの８送信アンテナに伴う送信パイロットの問題を検討し、次の結論に至った：ＬＴＥのサブスクライバは、受信したサブフレームを復調し復号化する前に、受信したサブフレームの全データサブキャリアのチャネル推定を行うべきであり、一方、チャネル推定性能が悪いサブキャリア（すなわち、チャネル推定が大きな相対エラーを有するある特定のサブキャリア（例えば、パイロットから遠く隔たったもの））は、復調及び復号化性能に対して明らかな影響を有し、従って、ＬＴＥフレーム復号化に対する影響は、そのようなサブキャリアのパンチングによって低減される。
【００４７】
本発明の実施形態において、ＬＴＥシステムによって使用されるアンテナはＬＴＥアンテナ（例えば、アンテナ０〜３）と呼ばれ、一方、ＬＴＥ−Ａシステムによって使用されるアンテナはＬＴＥ−Ａアンテナ（例えば、アンテナ０〜７）と呼ばれる。ＬＴＥアンテナによって送信されるパイロットはＬＴＥパイロットと呼ばれ、一方、ＬＴＥ−Ａアンテナによって送信されるパイロットはＬＴＥ−Ａパイロットと呼ばれる。
【００４８】
本発明の実施形態に従うパイロット付加装置は、以下のように記載される。図１は、本発明の実施形態に従うパイロット付加装置のブロック図を表す。図１に図示されるように、本発明の実施形態に従うパイロット付加装置１００は：
ＬＴＥ−Ａパイロットを現在のサブフレームに挿入すべきかどうかを判断し、挿入すべきと判断した場合は、さらに、サブフレームの各ＲＢごとに、ＬＴＥ−Ａパイロットを挿入すべきかどうかを判断するよう構成されるＬＴＥ−Ａパイロット付加判断部１１０と；
ＬＴＥサブスクライバのチャネル推定のための統計性能に対して大きな影響を有するサブキャリアシンボルブロックにあるＬＴＥ−Ａパイロットの挿入位置を決定するよう構成される挿入位置決定部１２０と；
挿入位置決定部１２０によって決定されたＬＴＥ−Ａパイロットの挿入位置にＬＴＥ−Ａパイロットを挿入するよう構成される挿入部１３０と
を有する。
【００４９】
図２は、本発明の実施形態に従うパイロット付加方法のフローチャートを図式的に表す。図２において表されるように、本発明の実施形態に従うパイロット付加方法は：
Ｓ２１０：ＬＴＥ−Ａパイロットを現在のサブフレームに挿入すべきかどうかを判断し、挿入すべきと判断した場合は、サブフレームの各ＲＢごとに、ＬＴＥ−Ａパイロットを挿入すべきかどうかを判断するステップと；
Ｓ２２０：ＬＴＥサブスクライバのチャネル推定のための統計性能に対して大きな影響を有するサブキャリアシンボルブロックにあるＬＴＥ−Ａパイロットの挿入位置を決定するステップと；
Ｓ２３０：ステップＳ２２０において決定されたＬＴＥ−Ａパイロットの挿入位置にＬＴＥ−Ａパイロットを挿入するステップと
を有する。
【００５０】
次に、挿入位置決定部１２０及びステップＳ２２０の動作について詳細に記載する。
【００５１】
最初に、ＬＴＥサブスクライバのチャネル推定のための統計性能に大きな影響を有するサブキャリアシンボルブロックをいかにして決定するのかが記載される。
【００５２】
図３〜５は、夫々、ＬＴＥの第１から第３のセクタに関してＲＢにおけるＣＲＳ位置（パイロットパターンとも呼ばれる。）を表す（ここで、第１から第３のセクタは同じセルに属し、空間において異なる方向性によって互いに分けられる。３つのセクタによってカバーされる空間角度範囲は、夫々、１０〜１２０度、１２１〜２４０度及び２４１〜３６０度である。）。図面において、横軸は異なるＯＲＤＭシンボルを表し、縦軸は異なるサブキャリアを表す。
【００５３】
チャネル推定アルゴリズムは１又はそれ以上のＲＢに基づくので、チャネル推定に係る統計性能が悪いＬＴＥデータサブキャリアは、特定の範囲において又はシミュレーション試験を通じて、ＲＳの数及び位置に従って決定されてよい。
【００５４】
図６は、図３において表されるＣＲＳ分布に関するＩＴＵ−ＰＢ３ｋｍ／ｈチャネルモデル下のＬＴＥサブスクライバ・チャネル推定エラーの統計分布図であり、図７は、図３において表されるＣＲＳ分布に関するＩＴＵ−ＶＡ１２０ｋｍ／ｈチャネルモデル下のＬＴＥサブスクライバ・チャネル推定エラーの統計分布図である。図面において、横軸は異なるＯＦＤＭシンボルを表し、縦軸は異なるサブキャリアを表す。
【００５５】
図６及び図７は、夫々、ＬＴＥシステムの４つの送信アンテナに夫々対応する４つのサブダイアグラムを有する。
【００５６】
例えば、チャネル推定アルゴリズムは、１つのＲＢに基づく２次元最小平均二乗誤差（２Ｄ  ＭＭＳＥ）基準を採用してよい。これによれば、１つのＲＢにおけるいずれかのグリッド上（サブキャリアシンボルブロック上）のチャネル推定値は、次のとおりである：
【数１】
2013506322.tif 000003
【００５７】
ここで、
（外１）
2013506322.tif 000004
は、特定のＲＢのｉ番目のサブキャリアのｊ番目のＯＦＤＭシンボルにおけるチャネル応答の推定値であり、
（外２）
2013506322.tif 000005
は、そのＲＢにおける全パイロット点のチャネル応答から成る列ベクトルであり、
（外３）
2013506322.tif 000006
は、２Ｄ  ＭＭＳＥ基準による補間ベクトルである。上記のチャネル推定アルゴリズムは、２Ｄ  ＭＭＳＥ基準に制限されず、他の線形補間方法も使用されてよく、その方法において、チャネル推定の形式は完全に式（１）と同じであり、
（外４）
2013506322.tif 000007
の成分のみが異なる。１つのＲＢの各サブキャリアにおけるチャネル推定エラーの統計値は、次のとおりである：
【数２】
2013506322.tif 000008
【００５８】
ここで、Ｅ［.］は、数学的期待値のための基準である。
【００５９】
図６及び図７から分かるように、影付きのサブキャリアシンボルブロックにおけるチャネル推定の統計エラーは大きい。このエラーは、ＲＢにおけるＣＲＳ分布によって引き起こされる。これに基づき、ＬＴＥデータ復調及び復号化性能に対する影響を低減しながらＬＴＥ−Ａ  ＣＲＳを置くよう適切な位置でサブキャリアをパンチングするために、チャネル推定エラーが大きいＬＴＥデータサブキャリアはパンチングされる。チャネル推定の異なる統計エラー分布が異なるチャネルモデル条件下で得られうるので、本発明の実施形態は、本発明の実施形態に従う方法に基づき得られるＬＴＥ−Ａ  ＲＳ設計の適用性を改善するように、異なるチャネルモデル下のチャネル推定エラー性能を考える。ＩＴＵ−ＰＢ３ｋｍ／ｈ及びＩＴＵ−ＶＡ１２０ｋｍ／ｈは２つの典型的なチャネルモデルであり、従って、それらは例として考えられ、本発明の実施形態において記載される。当然に、他のチャネルモデルが、それらのチャネルモデルの一方又は両方を置換し、又はそれらの２つのチャネルモデルと組み合わせて、チャネル推定エラーが大きいＬＴＥデータサブキャリアを決定するために使用されるべきである。ここで、２つのチャネルモデルは単なる例示であり、実際の設計は、国際電気通信連合（ＩＴＵ（International  Telecommunication  Union））によって推奨される他のチャネルモデル（例えば、異なる移動速度における補正されるＰＢ又はＶＡチャネル）に基づいてよい。
【００６０】
図６から分かるように、次のサブキャリアシンボルブロックにおけるチャネル推定の統計エラーは、ＩＴＵ−ＰＢ３ｋｍ／ｈチャネルモデル下のＬＴＥアンテナ０〜３について、より大きい：
サブキャリアシンボルブロック（０，１１），（１，１１），（２，１１），（３，１１），（４，１１），（５，１１），（６，１１），（７，１１），（８，１１），（９，１１），（１０，１１），（１１，１１），（１２，１１），（１３，１１），（１２，１０），（１３，１０），（１２，９），（１３，９）。
【００６１】
図７から分かるように、次のサブキャリアグリッドにおけるチャネル推定の統計エラーは、ＩＴＵ−ＶＡ１２０ｋｍ／ｈチャネルモデル下のＬＴＥアンテナ０〜３について、より大きい：
アンテナ０について、サブキャリアシンボルブロック（０，９），（０，１０），（０，１１），（１，１０），（１，１１），（２，１１），（３，１１），（１１，１１），（１２，１１），（１２，０），（１３，１１），（１３，１０），（１３，１），（１３，０）；
アンテナ１について、サブキャリアシンボルブロック（０，１１），（１０，１１），（１１，１０），（１１，１１），（１２，１１），（１２，１０），（１２，９），（１３，１１），（１３，１０），（１３，９），（１３，８），（１３，７），（１３，０），（１３，１）；
アンテナ２について、サブキャリアシンボルブロック（０，１１），（０，１０），（１，１１），（１１，０），（１２，０），（１２，１），（１２，１１），（１３，０），（１３，１），（１３，２），（１３，３），（１３，４），（１３，９），（１３，１０），（１３，１１）；
アンテナ３について、サブキャリアシンボルブロック（１０，１１），（１１，１１），（１１，１０），（１２，１１），（１２，１０），（１２，９），（１２，８），（１３，１１），（１３，１０），（１３，９），（１３，８），（１３，７），（１３，６）。
【００６２】
明らかなように、サブキャリアシンボルブロック（１２，１１），（１３，１１），（１３，１０）は全部で８回起こり、発生頻度は最も高く、グリッド（１１，１１），（１３，９），（０，１１）は７回起こり、グリッド（１２，９），（１，１１），（２，１１）は６回起こる。
【００６３】
このように、適切な位置は、上記の順序に従って、他の制約条件（例えば、ＬＴＥ−Ａ  ＣＲＳは、ＬＴＥ  ＣＲＳと重なり合うことができず、幾つかの位置は、他の専用データによって占有される、等）と組み合わせて選択され得る。
【００６４】
例えば、図６及び図７に基づき、ＬＴＥ−Ａ  ＲＳが特定のＲＢにおいて置かれる必要があるとき、それは、ＲＢの右上角にある３つのグリッドのいずれかに置かれてよい。さらに、留意すべきは、記載の便宜上、サブキャリアグリッドにおけるチャネル推定の統計エラーは、単純に、大きいエラーと小さいエラーとに分類される。しかし、実際には、エラーは、ＬＴＥ−Ａ  ＲＳが置かれるべきサブキャリアを判断するように、具体的な値に従って決定されてよい。
【００６５】
他の制約条件を鑑み、シミュレーションにより、発明者は、図８において表されるＬＴＥ−Ａ  ＲＳが採用され得ることに気付いた。
【００６６】
図８において、アンテナ０から７として印を付されたグリッドは、対応するＬＴＥ−Ａ送信アンテナのパイロットが置かれ得る位置を表す。
【００６７】
留意すべきは、図８に表されるＬＴＥ−Ａ  ＲＳパターンは、本発明に対する限定ではなくむしろ、２つのアンテナのパイロットがＲＢに挿入されるべきであり、一部の位置（例えば、右上角にある１０番目のグリッドに対応する２つのグリッド及び１１番目のサブキャリアに対応する２つのグリッド）が占有されている場合における単なる分布例である。当業者には当然に、他の位置が、それら２つの位置とともに使用される又はそれら２つの位置を置換するよう、実際の条件下で選択され得る。
【００６８】
図６及び図７から明らかなように、図８に表されるＲＳパターンは、ＬＴＥシステムのデータ復調及び復号化性能に対する影響が小さい。このように、図８に表されるパターンは、第１セクタのＬＴＥ−Ａ  ＣＳＩ−ＲＳのために使用されてよく、それは、ＬＴＥシステムに対する影響が小さい。
【００６９】
図９は、図４に表されるＣＲＳ分布に関するＩＴＵ−ＰＢ３ｋｍ／ｈチャネルモデル下のＬＴＥサブスクライバのチャネル推定エラーの統計分布図であり、図１０は、図４に表されるＣＲＳ分布に関するＩＴＵ−ＶＡ１２０ｋｍ／ｈチャネルモデル下のＬＴＥサブスクライバのチャネル推定エラーの統計分布図であり、図１１は、他の制約条件を考慮して図９及び図１０に基づき得られるＬＴＥ−Ａ  ＣＳＩ−ＲＳパターンの例を表す。図１１に表されるように、第２セクタにおいて、ＬＴＥ−Ａ  ＲＳは、（１２，７）及び（１３，７）の座標を有する２つのグリッドに置かれてよい。
【００７０】
同様に、図１１に表されるＬＴＥ−Ａ  ＲＳパターンは、本発明に対する限定ではなくむしろ、２つのアンテナのパイロットがＲＳに挿入されるべきであり、幾つかの位置が占有されている場合における単なる分布例である。当業者には当然に、他の位置が、それら２つの位置とともに使用される又はそれら２つの位置を置換するよう、実際の条件下で選択され得る。
【００７１】
図１２は、図５に表されるＣＲＳ分布に関するＩＴＵ−ＰＢ３ｋｍ／ｈチャネルモデル下のＬＴＥサブスクライバのチャネル推定エラーの統計分布図であり、図１３は、図５に表されるＣＲＳ分布に関するＩＴＵ−ＶＡ１２０ｋｍ／ｈチャネルモデル下のＬＴＥサブスクライバのチャネル推定エラーの統計分布図であり、図１４は、他の制約条件を考慮して図１２及び図１３に基づき得られるＬＴＥ−Ａ  ＣＳＩ−ＲＳパターンの例を表す。図１４に表されるように、第３セクタにおいて、ＬＴＥ−Ａ  ＲＳは、（１２，２）及び（１３，２）の座標を有する２つのグリッドに置かれてよい。
【００７２】
同様に、図１４に表されるＬＴＥ−Ａ  ＲＳパターンは、本発明に対する限定ではなくむしろ、２つのアンテナのパイロットがＲＳに挿入されるべきであり、幾つかの位置が占有されている場合における単なる分布例である。当業者には当然に、他の位置が、それら２つの位置とともに使用される又はそれら２つの位置を置換するよう、実際の条件下で選択され得る。
【００７３】
図８、図１１及び図１４において表されるような、ＬＴＥ−Ａ  ＣＲＳをＲＢに置く上記の位置は単なる例示であり、例えば、４つのＬＴＥ−Ａアンテナのパイロットが第２セクタに置かれる場合に、ＬＴＥ−Ａ  ＣＲＳは、図１５に表されるように置かれてもよい。図１５は、ＬＴＥ−Ａ  ＣＲＳが第２セクタに置かれるＲＢの分布図の他の例を表す。
【００７４】
留意すべきは、上記の記載は、単一のＲＢのチャネル推定しか意識しない。しかし、チャネル推定の実際の実施においては、複合チャネル推定が連続的なＲＢについて必要されることがあり、得られるチャネル推定エラーは、上記の図面における統計エラー分布とは異なることがある。例えば、複合チャネル推定は、周波数領域において４又は８の連続的なＲＢを用いて行われてよい。このように、図６、７、９、１０、１２及び１３におけるエラー分布は、夫々のＲＢに対して変更されてよく、対応するエラー分布規則は、対応するＬＴＥ−Ａ  ＲＳパターンを得るよう再検査されるべきである。
【００７５】
さらに、上記の記載は、ＬＴＥ−Ａ  ＣＲＳがＲＢに置かれるべき場合のＲＢにおけるＣＲＳ位置しか意識しない。しかし、ＬＴＥ−Ａ  ＣＲＳの数は小さく、例えば、現在、ＣＲＳは、時間軸における５ｍｓ又は１０ｍｓのサイクル及び周波数軸における６又は１２のサブキャリアのサイクルを有する。このようにして、ＲＳを置くためのＲＢの位置は決定されるべきである（例えば、１０ｍｓにおける全部で５００のＲＢの中からＲＳを置くためのＲＢの位置を決定する）。位置を決定する基準は、例えば、ＣＳＩ推定エラーを最小限とする基準であってよい（すなわち、ＣＳＩ推定が最も正確であるようにＣＳＩを置くよう特定のＲＢを選択する）。他の基準も、ＲＳを置くためのＲＢの位置を決定するために採用されてよい。
【００７６】
次に、本発明の実施形態に従ってＲＳを置く実施について記載する。これは、本発明に対する限定ではなくむしろ、単なる例示である。
【００７７】
［第１実施形態に従うＲＳ配置］
本発明の実施形態に従って、ＬＴＥ−ＡサブスクライバのためのＲＳ（ＬＴＥ−Ａ  ＲＳ）は、各フレームにおける８個の特定のサブフレームで送信され、他のサブフレームは、ＬＴＥサブスクライバのためのＲＳ（ＬＴＥ  ＲＳ）を送信するためにのみ使用される。例えば、ＬＴＥ−Ａ  ＲＳは、各フレームにおける０番目乃至３番目及び６番目乃至９番目のサブフレーム、２番目乃至９番目のサブフレーム、又は１番目乃至４番目及び６番目乃至９番目のサブフレームに挿入されてよい。
【００７８】
図１６は、本発明の第１実施形態に従うＲＳ配置の例を表す。図１６に表されるように、ＬＴＥ−Ａサブスクライバの８個のアンテナのパイロットは、２番目乃至９番目のサブフレームに置かれる。図１６において、一番上の数字０〜９は、現在のフレームにおけるサブフレームのシリアル番号を表し、一番上の数字近くのサイズが小さい数字（図１６における１２）は、サブフレームにおいてＬＴＥ−Ａサブスクライバのパイロットとともに配置されるシンボルを表す。大きなグリッドを夫々有する数字（図１６における０〜７）は、現在のフレームにおけるＲＢシリアル番号を表す。２番目乃至９番目のサブフレームにおいて、小さなグリッドを有する
（外５）
2013506322.tif 000009
は、ｋ番目の送信アンテナのＣＳＩ−ＲＳがその位置におかれることを示す。なお、ｋ＝０，１，２，３，４，５，６又は７。
（外６）
2013506322.tif 000010
の前の数字は、１つのＲＢにおけるサブキャリアのシリアル番号を表す。
【００７９】
図１６に表される実施形態において、２つの異なるアンテナのＲＳは、２番目及び９番目のサブフレームの夫々の各ＲＢに置かれ、各サブフレームの互いに隣接するＲＢに置かれたＲＳは、異なるアンテナ用である。例えば、図１６に表されるように、２番目のサブフレームにおいて、０番目及び４番目のアンテナのＲＳは、０番目のＲＢにおける２番目及び８番目のサブキャリアに置かれ、１番目及び５番目のアンテナのＲＳは、１番目のＲＢにおける２番目及び８番目のサブキャリアに置かれ、２番目及び６番目のアンテナのＲＳは、２番目のＲＢにおける２番目及び８番目のサブキャリアに置かれ、３番目及び７番目のアンテナのＲＳは、３番目のＲＢにおける２番目及び８番目のサブキャリアに置かれる。
【００８０】
さらに、隣接サブフレームにおいて同じシリアル番号を有してＲＢに置かれたＲＳも、異なるアンテナ用である。図１６に表されるように、０番目及び４番目のアンテナのＲＳは、２番目のサブフレームにおける０番目のＲＢにおける２番目及び８番目のサブキャリアに置かれ、２番目及び６番目のアンテナのＲＳは、３番目のサブフレームにおける０番目のＲＢにおける２番目及び８番目のサブキャリアに置かれる。１番目及び５番目のアンテナのＲＳは、２番目のサブフレームにおける１番目のＲＢにおける２番目及び８番目のサブキャリアに置かれ、３番目及び７番目のアンテナのＲＳは、３番目のサブフレームにおける１番目のＲＢにおける２番目及び８番目のサブキャリアに置かれる。２番目及び６番目のアンテナのＲＳは、２番目のサブフレームにおける２番目のＲＢにおける２番目及び８番目のサブキャリアに置かれ、０番目及び４番目のアンテナのＲＳは、３番目のサブフレームにおける２番目のＲＢにおける２番目及び８番目のサブキャリアに置かれる、等。
【００８１】
留意すべきは、図１６に表される実施形態において、各ＲＢにおいて、様々なアンテナのためのＲＳは、夫々、２番目のサブキャリアの１２番目のシンボルと、８番目のサブキャリアの１２番目のシンボルとに置かれる。これは、本発明に対する限定ではなくむしろ、単なる例示である。対応する位置（すなわち、ＬＴＥサブスクライバのチャネル推定の統計エラーに対して最も大きな影響を有するシンボル及びサブキャリアの位置）は、夫々の又は多数のＲＢごとにサブキャリアを選択する上記の方法に従って選択されてよい。
【００８２】
［第２実施形態に従うＲＳ配置］
この実施形態に従って、ＬＴＥ−Ａ  ＲＳは、フレームにおいて４個の特定のサブフレームで送信され、他のサブフレームは、ＬＴＥ  ＲＳを送信するためにのみ使用される。例えば、ＬＴＥ−Ａ  ＲＳは、各フレームにおける２番目、３番目、７番目及び８番目のサブフレームに挿入されてよい。
【００８３】
図１７は、本発明の第２実施形態に従うＲＳ配置の例を表す。図１７に表されるように、ＬＴＥ−Ａサブスクライバの８個のアンテナのパイロットは、２番目、３番目、７番目及び８番目のサブフレームに置かれる。図１７における符号の意味は、図１６における符号の意味と同じである。
【００８４】
図１７の実施形態において、４つの異なるアンテナのＲＳは、２番目、３番目、７番目及び８番目のサブフレームの夫々の各ＲＢに置かれ、各サブフレームの隣接するＲＢに置かれたＲＳは、異なるアンテナ用である。例えば、図１７に表されるように、２番目のサブフレームにおいて、０番目、２番目、４番目及び６番目のアンテナのＲＳは、０番目のＲＢにおける１番目、４番目、７番目及び１０番目のサブキャリアに置かれ、１番目、３番目、５番目及び７番目のアンテナのＲＳは、１番目のＲＢにおける１番目、４番目、７番目及び１０番目のサブキャリアに置かれる、等。
【００８５】
さらに、隣接サブフレームにおいて同じシリアル番号を有してＲＢに置かれたＲＳも、異なるアンテナ用である。図１７に表されるように、０番目、２番目、４番目及び６番目のアンテナのＲＳは、２番目のサブフレームにおける０番目のＲＢにおける１番目、４番目、７番目及び１０番目のサブキャリアに置かれ、７番目、５番目、３番目及び１番目のアンテナのＲＳは、３番目のサブフレームにおける０番目のＲＢにおける１番目、４番目、７番目及び１０番目のサブキャリアに置かれる。１番目、３番目、５番目及び７番目のアンテナのＲＳは、２番目のサブフレームにおける１番目のＲＢにおける１番目、４番目、７番目及び１０番目のサブキャリアに置かれ、６番目、４番目、２番目及び０番目のアンテナのＲＳは、３番目のサブフレームにおける１番目のＲＢにおける１番目、４番目、７番目及び１０番目のサブキャリアに置かれる、等。
【００８６】
留意すべきは、図１７に表される実施形態において、各ＲＢにおいて、様々なアンテナのためのＲＳは、夫々、１番目、４番目、７番目及び１０番目のサブキャリアの１０番目のシンボルに置かれる。これは、本発明に対する限定ではなくむしろ、単なる例示である。対応する位置（すなわち、ＬＴＥサブスクライバのチャネル推定の統計エラーに対して最も大きな影響を有する４つのシンボル及びサブキャリアの位置）は、夫々の又は多数のＲＢごとにサブキャリアを選択する上記の方法に従って選択されてよい。
【００８７】
［第３実施形態に従うＲＳ配置］
この実施形態に従って、ＬＴＥ−Ａ  ＲＳは、各フレームにおいて２個の特定のサブフレームで送信され、他のサブフレームは、ＬＴＥ  ＲＳを送信するためにのみ使用される。例えば、ＬＴＥ−Ａ  ＲＳは、各フレームにおける２番目及び７番目、３番目及び８番目、２番目及び８番目、並びに３番目及び７番目のサブフレームに挿入されてよい。
【００８８】
図１８は、本発明の第３実施形態に従うＲＳ配置の例を表す。図１８に表されるように、ＬＴＥ−Ａサブスクライバの８個のアンテナのパイロットは、２番目及び８番目のサブフレームの各ＲＢに置かれる。図１８における符号の意味は、図１６における符号の意味と同じである。
【００８９】
留意すべきは、図１８に表される実施形態において、各ＲＢにおいて、様々なアンテナのためのＲＳは、夫々、１番目、４番目、７番目及び１０番目のサブキャリアの９番目及び１０番目のシンボルに置かれる。これは、本発明に対する限定ではなくむしろ、単なる例示である。対応する位置（すなわち、ＬＴＥサブスクライバのチャネル推定の統計エラーに対して最も大きな影響を有する８つのシンボル及びサブキャリアの位置）は、夫々の又は多数のＲＢごとにサブキャリアを選択する上記の方法に従って選択されてよい。
【００９０】
［第４実施形態に従うＲＳ配置］
この実施形態に従って、ＬＴＥ−Ａ  ＲＳは、各フレームにおける１個の特定のサブフレームにある全てのＲＢにおいて送信され、他のサブフレームは、ＬＴＥ  ＲＳを送信するためにのみ使用される。例えば、ＬＴＥ−Ａ  ＲＳは、各フレームにおける２番目、３番目、７番目及び８番目のサブフレームのいずれかに挿入されてよい。
【００９１】
図１９は、本発明の第４実施形態に従うＲＳ配置において、ＬＴＥ−Ａ  ＲＳが挿入されるＲＢの例を表す。図１９に表されるように、ＬＴＥ−Ａ  ＲＳを挿入されるＲＢの中で、９番目及び１０番目のシンボル並びに０番目乃至３番目及び８番目乃至１１番目のサブキャリアは、夫々のアンテナごとにＲＳを挿入される。
【００９２】
さらに、同じシンボル位置のために、異なるアンテナのためのＲＳは、隣接するサブキャリアに挿入される。例えば、９番目のシンボルの位置に関し、アンテナ６のためのＲＳは８番目のサブキャリアに挿入され、一方、アンテナ４のためのＲＳは９番目のサブキャリアに挿入される。
【００９３】
さらに、同じサブキャリア位置のために、異なるアンテナのためのＲＳは、隣接するシンボルに挿入される。例えば、８番目のサブキャリアの位置に関し、アンテナ６のためのＲＳは９番目のシンボルに挿入され、一方、アンテナ７のためのＲＳは１０番目のシンボルに挿入される。
【００９４】
同様に、図１９に表される実施形態は単なる例示であり、対応する位置（すなわち、ＬＴＥサブスクライバのチャネル推定の統計エラーに対して最も大きな影響を有する８つのシンボル及びサブキャリアの位置）は、夫々の又は多数のＲＢごとにサブキャリアを選択する上記の方法に従って選択されてよい。
【００９５】
さらに、上記の実施形態では、ＬＴＥ−Ａパイロットは選択されたサブフレームにおいて各ＲＢに挿入されるが、他の実施形態も実際的である点に留意すべきである。例えば、パイロットは、選択されたサブフレームにおいて特定数のＲＢに挿入されてよい。
【００９６】
さらに、セクタを考慮して、サブキャリアにおける各ＲＳの位置は、異なるセクタに従って循環的にシフトされる。すなわち、ＣＳＩ−ＲＳが、０番目のセクタにおける特定のＲＢにおいてシリアル番号ｋを有するサブキャリアにあるとき、それは、１番目及び２番目のセクタにおける対応するＲＢにおいて夫々、ｋを法とするｋ＋１及びｋを法とするｋ＋２、又はｋを法とするｋ−１及びｋを法とするｋ−２のシリアル番号を有するサブキャリアにある。ここで、例えば、ｋは３又は１２である。ｙを法とするｘの値は、ｘをｙで割ることによって求められる剰余である。循環シフトの基準は、異なるセクタのＬＴＥ−Ａ  ＣＳＩ−ＲＳ間の相互干渉を避けることである。
【００９７】
留意すべきは、挿入位置決定部１２０及びステップＳ２２０が、度の位置が挿入にとって好ましいかを決定することは不要であり、挿入位置は、上記の方法によって予め決定される様々な位置、送信器と受信器との間の事前交渉、フレームにおけるサブフレーム位置、サブフレームにおけるＲＢ位置、及びサブフレーム又はシンボルのシリアル番号に従って直接決定されてよい。
【００９８】
ステップＳ２１０で、ＬＴＥ−Ａパイロット付加判断部１１０は、データがＬＴＥサブスクライバ又はＬＴＥ−Ａサブスクライバへ送信されるかどうかを決定することによって、ＬＴＥ−Ａパイロットをサブフレームに挿入すべきかどうかを決定してよい。他の実施形態において、ＬＴＥ−Ａパイロット付加判断部１１０は、ＬＴＥ−Ａサブスクライバのサービス要求が存在するかどうか又はシステム設定に従って、ＬＴＥ−Ａパイロットをサブフレームに挿入すべきかどうかを決定する。
【００９９】
ステップＳ２３０で、ここでは詳細に記載されないが、当業者によってよく知られている又は想到される如何なる方法も、データサブキャリアをパンチングしてＬＴＥ−Ａパイロットを挿入するために、挿入部１３０によって採用されてよい。
【０１００】
図２０及び図２１は、夫々、ＬＴＥと解互換性を有し且つ本発明の実施形態に従うＬＴＥ−Ａパイロット伝送装置又は方法を用いるＬＴＥ−Ａの送信器及び受信器の構成図を示す。図２０に表されるように、最初に、原の情報ビットが符号器によって符号化され、次いで、シンボルモジュレータが、符号化されたビット情報をＱＰＳＫ、１６ＱＡＭ又は６４ＱＡＭ等のシンボル配置図（constellation  diagram）にマッピングし、空間−時間符号器が、単一チャネル信号を、送信されるべき多チャネル信号にマッピングする。その場合に、上述されたような本発明の実施形態に従うパイロット付加方法又は装置を用いて、例えば、ＬＴＥ−Ａサブスクライバのサービス要求の存在又はシステム設定に従って、ＬＴＥ−Ａ  ＣＳＩ−ＲＳを挿入すべきかどうかが決定される。挿入すべきである場合、挿入位置は、所定のＬＴＥ−Ａ  ＣＳＩ−ＲＳパターンに従って決定され、ＬＴＥ−Ａ  ＣＳＩ−ＲＳは、ＬＴＥデータサブキャリアをパンチングすることによって挿入される。次に、パイロットを付加される信号の各チャネルにおけるシリアル−パラレル変換、逆ＦＦＴ、ＣＰ付加等の動作が夫々行われる。そして、最後に、信号は、複数の送信アンテナを介して無線物理チャネルへ送信される。図２１に表されるように、対応する反対の動作が、ＬＴＥサブスクライバの受信端で行われる。受信アンテナが送信器から信号を受信した後、最初にＣＰが除去され、次いでＦＦＴ及びパラレル−シリアル変換が行われ、ＬＴＥ  ＲＳパターンに従ってＲＳが取り出され、ＲＳに基づきチャネル推定、空間−時間復号化又は空間−時間等化が行われ、最後に、チャネル復号化により、送信された原の情報ビットがリストアされる。ＬＴＥ−Ａサブスクライバの受信端では、ＬＴＥ−Ａ  ＣＳＩ−ＲＳパターンに従ってＣＳＩ−ＲＳが取り出され、そして、ＣＳＩ−ＲＳに基づき、チャネル推定、チャネル・クオリティ・インジケーション（ＣＱＩ（Channel  Quality  Indication））計算、及びプレコーディング・マトリクス・インデックス（ＰＭＩ（Precoding  Matrix  Index））計算等の動作が行われる。
【０１０１】
本発明に従って、ＬＴＥ−Ａチャネル状態情報を推定するためのＣＳＩ−ＲＳのオーバーヘッドは小さく、すなわち、８個の送信アンテナのチャネル状態情報を推定するためのＣＳＩ−ＲＳの量はほんの０．９６％である。さらに、それらのＣＳＩ−ＲＳの位置は、チャネル推定性能が悪いＬＴＥサブスクライバのデータサブキャリアにあるよう選択される。最後に、ＬＴＥ−Ａ  ＣＳＩ−ＲＳの設計は下位互換性を考慮するので、ＣＳＩ−ＲＳの挿入及び使用は容易に実現されるべきである。
【０１０２】
留意すべきは、ＬＴＥシステム（旧システム）と、更新されたシステムである機能するＬＴＥ−Ａシステム（新システム）とは、本発明の実施形態に係る上記の記載において例とされたが、当然に、記載は単なる例示であり、本発明の実施形態は、マルチアンテナシステムの送信器のアンテナが増大する如何なる状況にも適用可能である。マルチアンテナシステム（例えば、多くても８個の送信アンテナを有するＬＴＥ−Ａシステム）が、より多くの送信アンテナを有するシステム（例えば、１０以上のアンテナを有するシステム）に更新される場合に、追加される送信アンテナのパイロットは、各サブキャリアシンボルブロックによる原のシステムのサブスクライバ・チャネル推定に対する影響に従って、適切なサブキャリアシンボルブロックに挿入されてよい。
【０１０３】
図２２は、本発明の実施形態に従うパイロット挿入位置決定装置の機能ブロック図を表す。
【０１０４】
図２２に表されるように、パイロット挿入位置決定装置３００は、第１チャネルモデル用チャネル推定エラー統計決定部３１０と、第２チャネルモデル用チャネル推定エラー統計決定部３２０と、新システムアンテナパイロット位置決定部３３０とを有する。
【０１０５】
第１チャネルモデル用チャネル推定エラー統計決定部３１０は、第１チャネルモデル下で旧システム（例えば、ＬＴＥシステム）のサブスクライバのチャネル推定エラーの統計分布を決定するよう構成される。例えば、第１チャネルモデルは、ＩＴＵ−ＰＢ３ｋｍ／ｈチャネルモデルである。例えば、チャネル推定は、ＲＢにおける１以上のサブキャリアに基づく。
【０１０６】
第２チャネルモデル用チャネル推定エラー統計決定部３２０は、第２チャネルモデル下で旧システム（例えば、ＬＴＥシステム）のサブスクライバのチャネル推定エラーの統計分布を決定するよう構成される。例えば、第２チャネルモデルは、ＩＴＵ−ＶＡ１２０ｋｍ／ｈチャネルモデルである。例えば、チャネル推定は、ＲＢにおける１以上のサブキャリアに基づく。留意すべきは、第２チャネルモデル用チャネル推定エラー統計決定部３２０によるチャネル推定が実行される際に基づかれるサブキャリアの数は、第１チャネルモデル用チャネル推定エラー統計決定部３１０によるチャネル推定が実行される際に基づかれるサブキャリアの数と同じでなければならない。
【０１０７】
新システムアンテナパイロット位置決定部３３０は、第１チャネルモデル用チャネル推定エラー統計決定部３１０及び第２チャネルモデル用チャネル推定エラー統計決定部３２０の夫々の決定結果に従って、サブフレーム又はＲＢにおける新システムのアンテナのパイロットの挿入位置を決定するよう構成される。サブフレーム又はＲＢにおける新システムのアンテナのパイロットの挿入位置は、各サブキャリアシンボルブロックによる旧システムサブスクライバのチャネル推定に対する影響と何らかの制約条件（例えば、サブキャリアシンボルブロックが占有されているかどうか）とに従って、決定されてよい。
【０１０８】
図２３は、本発明の実施形態に従うパイロット挿入位置決定方法のフローチャートを表す。
【０１０９】
図２３に表されるように、本発明の実施形態に従うパイロット挿入位置決定方法は、以下のステップを有する。
【０１１０】
ステップＳ４１０：第１チャネルモデル用チャネル推定エラー統計決定部３１０は、第１チャネルモデル下で旧システム（例えば、ＬＴＥシステム）のサブスクライバのチャネル推定エラーの統計分布を決定する。例えば、第１チャネルモデルはＩＴＵ−ＰＢ３ｋｍ／ｈチャネルモデルである。例えば、チャネル推定はＲＢにおける１以上のサブキャリアに基づく。
【０１１１】
ステップＳ４２０：第２チャネルモデル用チャネル推定エラー統計決定部３２０は、第２チャネルモデル下で旧システム（例えば、ＬＴＥシステム）のサブスクライバのチャネル推定エラーの統計分布を決定する。例えば、第２チャネルモデルはＩＴＵ−ＶＡ１２０ｋｍ／ｈチャネルモデルである。例えば、チャネル推定はＲＢにおける１以上のサブキャリアに基づく。留意すべきは、第２チャネルモデル用チャネル推定エラー統計決定部３２０によるチャネル推定が実行される際に基づかれるサブキャリアの数は、第１チャネルモデル用チャネル推定エラー統計決定部３１０によるチャネル推定が実行される際に基づかれるサブキャリアの数と同じでなければならない。
【０１１２】
ステップＳ４３０：新システムアンテナパイロット位置決定部３３０は、第１チャネルモデル用チャネル推定エラー統計決定部３１０及び第２チャネルモデル用チャネル推定エラー統計決定部３２０の夫々の決定結果に従って、サブフレーム又はＲＢにおける新システムのアンテナのパイロットの挿入位置を決定する。サブフレーム又はＲＢにおける新システムのアンテナのパイロットの挿入位置は、各サブキャリアシンボルブロックによる旧システムサブスクライバのチャネル推定に対する影響と何らかの制約条件（例えば、サブキャリアシンボルブロックが占有されているかどうか）とに従って、決定されてよい。
【０１１３】
上記の装置における様々な構成モジュール、ユニット及びサブユニット、並びに上記の方法における様々なステップは、ソフトウェア、ファームウェア、又はそれらの組み合わせにより構成されてよい。その構成手段又は方法は当業者によく知られており、ここでは繰り返されない。ソフトウェア又はファームウェアによる実施の場合に、ソフトウェアを構成するプログラムは、記憶媒体又はネットワークから専用のハードウェア構成を有するコンピュータ（例えば、図２４に表されるような一般的なコンピュータ）、あるいは、システム又は装置（例えば、送信器）において組み合わされるコンピュータにインストールされるべきであり、コンピュータは、様々なプログラムをインストールされている場合に、様々な機能を実行することができる。
【０１１４】
図２４は、本発明の実施形態に従う方法及び装置を実施可能なコンピュータのブロック図を表す。
【０１１５】
図２４において、中央演算処理装置（ＣＰＵ）２４０１は、読出専用メモリ（ＲＯＭ）２４０２に記憶されているプログラム、又は記憶部２４０８からランダムアクセスメモリ（ＲＡＭ）２４０３にロードされるプログラムに従って、様々な処理を実行する。様々な処理を実行するためにＣＰＵ２４０１によって必要とされるデータは、必要に応じてＲＡＭ２４０３に記憶されるべきである。ＣＰＵ２４０１、ＲＯＭ２４０２及びＲＡＭ２４０３はバス２４０４を介して互いに接続されている。入力／出力（Ｉ／Ｏ）インターフェース２４０５も、要求に応じて、バス２４０４に接続されてよい。
【０１１６】
要求に応じて、次の構成要素がＩ／Ｏインターフェース２４０５に接続されてよい。すなわち、入力部２４０６（キーパッド、マウス等を含む。）、出力部２４０７（陰極線管（ＣＲＴ）及び液晶ディスプレイ（ＬＣＤ）等のディスプレイ、並びにラウドスピーカ等を含む。）、記憶部２４０８（ハードディスク等を含む。）、及び通信部２４０９（ＬＡＮカード等のネットワークインターフェースカード、モデム等を含む。）がある。例えば、通信部２４０９は、インターネット等のネットワークを介する通信処理を実行する。また、ドライバ２４１０が必要に応じてＩ／Ｏインターフェース２４０５に接続されてよい。磁気ディスク、光ディスク、光磁気ディスク、半導体メモリ等の取り外し可能な媒体２４１１が必要に応じてドライバ２４１０にマウントされてよく、それにより、媒体２４１１から読み出されるプログラムが要求に応じて記憶部２４０８にインストールされる。
【０１１７】
上記の一連の処理がソフトウェアにより実施される場合に、ソフトウェアを構成するプログラムは、インターネット等のネットワーク、又は取り外し可能な媒体２４１１等の記憶媒体からインストールされるべきである。
【０１１８】
当業者には明らかなように、記憶媒体は、プログラムを記憶しており且つ該プログラムをサブスクライバに提供するよう装置から独立して流通する、図２４に表される取り外し可能な媒体２４１１に限られない。例えば、取り外し可能な媒体２４１１は、磁気ディスク（フロッピー（登録商標）ディスクを含む。）、コンパクトディスク（コンパクトディスクＲＯＭ（ＣＤ−ＲＯＭ）及びデジタル・バーサタイル・ディスク（ＤＶＤ）を含む。）、光磁気ディスク（ミニディスク（ＭＤ）（登録商標）を含む。）及び半導体メモリを含む。あるいは、記憶媒体は、プログラムが記憶されており且つそれらを含む装置とともにサブスクライバに流通するＲＯＭ２４０２、記憶部２４０８におけるハードディスク等であってよい。
【０１１９】
本発明は、さらに、機械によって読み出されて実行される場合に本発明の実施形態に従う上記の方法を実行可能な機械読出可能な命令コードを記憶するプログラムプロダクトを提供する。
【０１２０】
然るに、機械読出可能な命令コードを記憶するプログラムプロダクトをロードする記憶媒体も本発明の開示に含まれる。記憶媒体は、フロッピーディスク（登録商標）、光ディスク、光磁気ディスク、メモリカード、メモリスティック等を含むが、それらに限られない。
【０１２１】
以上の実施形態に関し、更に以下の付記を開示する。
【０１２２】
（付記１）
旧システムのサブスクライバと、前記旧システムの更新されたシステムである新システムのサブスクライバとへデータを伝送するために送信器において使用されるパイロット付加方法であって、
前記新システムのサブスクライバによって要求されるパイロットを現在のリソースブロックに挿入すべきかどうかを判断し、
前記旧システムのサブスクライバについてチャネル推定の統計性能に対して大きな影響を有する１又はそれ以上のサブキャリアシンボルブロックから、前記新システムのサブスクライバによって要求される前記パイロットの挿入位置であるサブキャリアシンボルブロックを決定し、
前記新システムのサブスクライバによって要求される前記パイロットを、前記決定によって決定された前記新システムのサブスクライバによって要求される前記パイロットの挿入位置であるサブキャリアシンボルブロックに挿入する
パイロット付加方法。
【０１２３】
（付記２）
前記決定は、セクタに従って、前記新システムのサブスクライバによって要求される前記パイロットの挿入位置を決定する、
付記１に記載のパイロット付加方法。
【０１２４】
（付記３）
前記新システムのアンテナのパイロットが、第１のセクタにおける特定のソースブロックにおいてシリアル番号ｋを有するサブキャリアに位置する場合に、第２のセクタにおける対応するソースブロックにおける前記アンテナのパイロットのためのサブキャリアは、ｋを法とするｋ＋１のシリアル番号を有し、第３のセクタにおける対応するソースブロックにおける前記アンテナのパイロットのためのサブキャリアは、ｋを法とするｋ＋２のシリアル番号を有し、ｋは負でない整数である、
付記２に記載のパイロット付加方法。
【０１２５】
（付記４）
前記旧システムはＬＴＥシステムであり、前記新システムはＬＴＥ−Ａシステムである、
付記１に記載のパイロット付加方法。
【０１２６】
（付記５）
前記判断は、前記新システムのサブスクライバによって要求される前記パイロットを、フレーム０番目から３番目のサブフレーム及び６番目から９番目のサブフレーム、又は２番目から９番目のサブフレーム、又は１番目から４番目のサブフレーム及び６番目から９番目のサブフレームにおけるリソースブロックの夫々又は幾つかに挿入することを決定する、
付記４に記載のパイロット付加方法。
【０１２７】
（付記６）
前記サブキャリアシンボルブロックの決定は、リソースブロックの夫々における２つの異なるアンテナのパイロットの挿入位置を決定する、
付記５に記載のパイロット付加方法。
【０１２８】
（付記７）
前記サブキャリアシンボルブロックの決定は、隣接するサブフレームにおいて同じシリアル番号を有するリソースブロックに加えられるパイロットが異なるアンテナのためであるように、リソースブロックの夫々における前記２つのアンテナのパイロットの挿入位置を決定する、
付記６に記載のパイロット付加方法。
【０１２９】
（付記８）
前記サブキャリアシンボルブロックの決定は、同じサブフレームにおいて隣接するシリアル番号を有するリソースブロックに加えられるパイロットが異なるアンテナのためであるように、リソースブロックの夫々における前記２つのアンテナのパイロットの挿入位置を決定する、
付記６に記載のパイロット付加方法。
【０１３０】
（付記９）
前記判断は、前記新システムのサブスクライバによって要求される前記パイロットを、フレームの２番目のサブフレーム、３番目のサブフレーム、７番目のサブフレーム及び８番目のサブフレームにおけるリソースブロックの夫々に挿入することを決定する、
付記４に記載のパイロット付加方法。
【０１３１】
（付記１０）
前記サブキャリアシンボルブロックの決定は、リソースブロックの夫々における４つの異なるアンテナのパイロットの挿入位置を決定する、
付記９に記載のパイロット付加方法。
【０１３２】
（付記１１）
前記サブキャリアシンボルブロックの決定は、隣接するサブフレームにおいて同じシリアル番号を有するリソースブロックに加えられるパイロットが異なるアンテナのためであるように、リソースブロックの夫々における前記４つのアンテナのパイロットの挿入位置を決定する、
付記１０に記載のパイロット付加方法。
【０１３３】
（付記１２）
前記サブキャリアシンボルブロックの決定は、同じサブフレームにおいて隣接するシリアル番号を有するリソースブロックに加えられるパイロットが異なるアンテナのためであるように、リソースブロックの夫々における前記４つのアンテナのパイロットの挿入位置を決定する、
付記１０に記載のパイロット付加方法。
【０１３４】
（付記１３）
前記判断は、前記新システムのサブスクライバによって要求される前記パイロットを、フレームの２番目のサブフレーム、３番目のサブフレーム、７番目のサブフレーム及び８番目のサブフレームのいずれか１つ又は２つにおけるリソースブロックの夫々に挿入することを決定する、
付記４に記載のパイロット付加方法。
【０１３５】
（付記１４）
前記サブキャリアシンボルブロックの決定は、リソースブロックの夫々における８つの異なるアンテナのパイロットの挿入位置を決定する、
付記１３に記載のパイロット付加方法。
【０１３６】
（付記１５）
前記判断は、前記新システムのサブスクライバによって要求されるパイロットを、フレームの２番目、３番目、７番目及び８番目のサブフレームのいずれか２つのリソースブロックの夫々に挿入することを決定し、
前記パイロットは、リソースブロックにおけるシリアル番号１、４、７及び１０を有するサブキャリアにおけるシリアル番号９及び１０を有するシンボルによって決定されるサブキャリアシンボルブロックの位置に挿入される、
付記１４に記載のパイロット付加方法。
【０１３７】
（付記１６）
旧システムのサブスクライバと、前記旧システムの更新されたシステムである新システムのサブスクライバとへデータを伝送するために送信器において使用されるパイロット付加装置であって、
前記新システムのサブスクライバによって要求されるパイロットを現在のリソースブロックに挿入すべきかどうかを判断するよう構成される新システムパイロット付加判断部と、
前記旧システムのサブスクライバについてチャネル推定の統計性能に対して大きな影響を有する１又はそれ以上のサブキャリアシンボルブロックから、前記新システムのサブスクライバによって要求される前記パイロットの挿入位置であるサブキャリアシンボルブロックを決定するよう構成される挿入位置決定部と、
前記新システムのサブスクライバによって要求される前記パイロットを、前記挿入位置決定部によって決定された前記新システムのサブスクライバによって要求される前記パイロットの挿入位置であるサブキャリアシンボルブロックに挿入するよう構成される挿入部と
を有するパイロット付加装置。
【０１３８】
（付記１７）
前記挿入位置決定部は、セクタに従って、前記新システムのサブスクライバによって要求される前記パイロットの挿入位置を決定する、
付記１６に記載のパイロット付加装置。
【０１３９】
（付記１８）
前記新システムのアンテナのパイロットが、第１のセクタにおける特定のソースブロックにおいてシリアル番号ｋを有するサブキャリアに位置する場合に、第２のセクタにおける対応するソースブロックにおける前記アンテナのパイロットのためのサブキャリアは、ｋを法とするｋ＋１のシリアル番号を有し、第３のセクタにおける対応するソースブロックにおける前記アンテナのパイロットのためのサブキャリアは、ｋを法とするｋ＋２のシリアル番号を有し、ｋは負でない整数である、
付記１７に記載のパイロット付加装置。
【０１４０】
（付記１９）
前記旧システムはＬＴＥシステムであり、前記新システムはＬＴＥ−Ａシステムである、
付記１６に記載のパイロット付加装置。
【０１４１】
（付記２０）
前記新システムパイロット付加判断部は、前記新システムのサブスクライバによって要求される前記パイロットを、フレーム０番目から３番目のサブフレーム及び６番目から９番目のサブフレーム、又は２番目から９番目のサブフレーム、又は１番目から４番目のサブフレーム及び６番目から９番目のサブフレームにおけるリソースブロックの夫々又は幾つかに挿入することを決定する、
付記１９に記載のパイロット付加装置。
【０１４２】
（付記２１）
前記新システムパイロット付加判断部は、前記新システムのサブスクライバによって要求される前記パイロットを、フレームの２番目のサブフレーム、３番目のサブフレーム、７番目のサブフレーム及び８番目のサブフレームにおけるリソースブロックの夫々に挿入することを決定する、
付記１９に記載のパイロット付加装置。
【０１４３】
（付記２２）
前記新システムパイロット付加判断部は、前記新システムのサブスクライバによって要求される前記パイロットを、フレームの２番目のサブフレーム、３番目のサブフレーム、７番目のサブフレーム及び８番目のサブフレームのいずれか１つ又は２つにおけるリソースブロックの夫々に挿入することを決定する、
付記１９に記載のパイロット付加装置。
【０１４４】
（付記２３）
前記挿入位置決定部は、隣接するサブフレームにおいて同じシリアル番号を有するリソースブロックに加えられるパイロットが異なるアンテナのためであるように、リソースブロックの夫々における前記新システムのサブスクライバによって要求される前記パイロットの挿入位置を決定する、
付記１９に記載のパイロット付加装置。
【０１４５】
（付記２４）
前記挿入位置決定部は、同じサブフレームにおいて隣接するシリアル番号を有するリソースブロックに加えられるパイロットが異なるアンテナのためであるように、リソースブロックの夫々における前記新システムのサブスクライバによって要求される前記パイロットの挿入位置を決定する、
付記１９に記載のパイロット付加装置。
【０１４６】
（付記２５）
第１チャネルモデルの下で旧システムサブスクライバのチャネル推定誤差の統計的分布を決定するよう構成される第１チャネルモデル用チャネル推定誤差統計的分布部と、
第２チャネルモデルの下で旧システムサブスクライバのチャネル推定誤差の統計的分布を決定するよう構成される第２チャネルモデル用チャネル推定誤差統計的分布部と、
前記第１チャネルモデル用チャネル推定誤差統計的分布部及び前記第２チャネルモデル用チャネル推定誤差統計的分布部の決定結果に従って、サブフレーム又はＲＢにおける新システムのアンテナのパイロットの挿入位置を決定するよう構成される新システムアンテナパイロット位置決定部と
を有するパイロット挿入位置決定装置。
【０１４７】
（付記２６）
第１チャネルモデルの下で旧システムサブスクライバのチャネル推定誤差の統計的分布を決定し、
第２チャネルモデルの下で旧システムサブスクライバのチャネル推定誤差の統計的分布を決定し、
前記第１チャネルモデルに関する決定結果及び前記第２チャネルモデルに関する決定結果に従って、サブフレーム又はＲＢにおける新システムのアンテナのパイロットの挿入位置を決定する
パイロット挿入位置決定方法。
【０１４８】
一実施形態に関して記載及び／又は例示される特徴は、１又はそれ以上の他の実施形態において同じように使用されてよく、及び／又は、他の実施形態における特徴と組み合わされ、若しくは該特徴と置換されてよい。
【０１４９】
留意すべきは、本願における語「有する」又は「含む」は、特徴、コンポーネント、ステップ又はアセンブリの存在に言及し、１又はそれ以上の他の特徴、コンポーネント、ステップ、アセンブリ又はそれらの組み合わせの存在又は追加を除かない。
【０１５０】
さらに、本発明の方法は、本願で記載されている時間順序に従って実行されることに限られず、順次に、同時に、又は独立して他の時間順序において実行され得る。このように、本願で記載される方法の実行順序は、本発明の技術的範囲を限定しない。
【図１】
2013506322.tif 000011
【図２】
2013506322.tif 000012
【図３】
2013506322.tif 000013
【図４】
2013506322.tif 000014
【図５】
2013506322.tif 000015
【図６】
2013506322.tif 000016
【図７】
2013506322.tif 000017
【図８】
2013506322.tif 000018
【図９】
2013506322.tif 000019
【図１０】
2013506322.tif 000020
【図１１】
2013506322.tif 000021
【図１２】
2013506322.tif 000022
【図１３】
2013506322.tif 000023
【図１４】
2013506322.tif 000024
【図１５】
2013506322.tif 000025
【図１６】
2013506322.tif 000026
【図１７】
2013506322.tif 000027
【図１８】
2013506322.tif 000028
【図１９】
2013506322.tif 000029
【図２０】
2013506322.tif 000030
【図２１】
2013506322.tif 000031
【図２２】
2013506322.tif 000032
【図２３】
2013506322.tif 000033
【図２４】
2013506322.tif 000034
【国際調査報告】
2013506322.tif 000035
2013506322.tif 000036
2013506322.tif 000037
2013506322.tif 000038